(57)【要約】【課題】作業手間や材料費の点でコストダウンを図ることができる、マチ部を備えたバインダー類のポケットの構造を提供する。【解決手段】バインダー類のボード面１１ａに、書類や紙葉を差し込んで収納するために設けられるポケット１２の構造であって、該ポケット１２の構造は、ボード面１１ａに対して、ポケット１２用のシート材１２ａの隅部１３ａに至る２辺１３、１３に沿った部位が溶着又は接着されると共に、当該２辺１３、１３に沿って所定傾斜角度の切込み部１４が所定の間隔を開けて連続的に形成され、シート材１２ａの隅部１３ａに至る部位の近傍は、切欠き部１５が形成されている。【選択図】図１
0003179219.tif 000002
【実用新案登録請求の範囲】
【請求項１】
バインダー類のボード面に、書類や紙葉を差し込んで収納するために設けられるポケットの構造であって、
該ポケットの構造は、前記ボード面に対して、ポケット用のシート材の隅部に至る２辺に沿った部位が溶着又は接着されると共に、当該２辺に沿って所定傾斜角度の切込み部が所定の間隔を開けて連続的に形成され、
前記シート材の隅部に至る部位の近傍は、切欠き部が形成されていること
を特徴とするバインダー類のポケットの構造。
【請求項２】
バインダー類は、ファイル、バインダー、クリップボード、又は回覧板であること
を特徴とする請求項１に記載のバインダー類のポケットの構造。
【請求項３】
前記シート材は、合成樹脂材又は紙材であること
を特徴とする請求項１に記載のバインダー類のポケットの構造。
【考案の詳細な説明】
【技術分野】
【０００１】
本考案は、ファイル、バインダー、クリップボード、あるいは回覧板等であるバインダー類のボード面に、書類や紙葉等を差し込んで収納するために設けられる、バインダー類のポケットの構造に関するものである。
【背景技術】
【０００２】
従来、この種のポケットの構造としては、次のような構成のものが知られている。このポケットの構造は、合成樹脂製のファイルのボード面における縁部に沿って、ポケット用のシード材の２辺に沿った部位が熱溶着されてポケットが形成されている（特許文献１及び２参照）。
【０００３】
このようなポケットの構造は、マチ部が設けられていないので、ポケットの厚みが薄手に形成されることとなり、ポケットは薄手の収納物を収納するのに適する。
【０００４】
一方、次のようなポケットの構造が知られている。このポケットの構造は、ファイルに設けたポケットの底部と側部とに複数段に折り畳んだマチ部が一体に設けられている。このマチ部は必要に応じて広がるので、ポケットには多少の厚手の書類等を収納することが可能である（特許文献３参照）。
【先行技術文献】
【特許文献】
【０００５】
【特許文献１】実用新案登録第３００９４９５号公報
【特許文献２】実用新案登録第３１５５０４０号公報
【特許文献３】実用新案登録第３１４７５３８号公報
【考案の概要】
【考案が解決しようとする課題】
【０００６】
この従来例のマチ部を有するポケットの構造においては、製造する過程で人手によってマチ部を折り畳んで形成するのであり、作業手間が掛かるだけでなく、マチ部の分の材料が余分に必要であって、作業手間と材料費の点でコストアップの要因となるという問題点を有している。
【０００７】
また、マチ部は複数段に折り畳んで形成するので、当該マチ部が厚くなる。つまり、収納物がない場合でもポケットが厚手になり、書類がマチ部に引っ掛かったりする場合があるという欠点を有している。
【０００８】
従って、従来例におけるマチ部を有するポケットの構造においては、作業手間と材料費の点でコストアップにならないようにすることと、マチ部が厚くならないようにすることとに解決しなければならない課題を有している。
【課題を解決するための手段】
【０００９】
前記従来例の課題を解決するための本考案の要旨は、バインダー類のボード面に、書類や紙葉を差し込んで収納するために設けられるポケットの構造であって、該ポケットの構造は、前記ボード面に対して、ポケット用のシート材の隅部に至る２辺に沿った部位が溶着又は接着されると共に、当該２辺に沿って所定傾斜角度の切込み部が所定の間隔を開けて連続的に形成され、前記シート材の隅部に至る部位の近傍は、切欠き部が形成されていることである。
【００１０】
また、バインダー類は、ファイル、バインダー、クリップボード、又は回覧板であること、；
前記シート材は、合成樹脂材又は紙材であること、；
を含むものである。
【考案の効果】
【００１１】
本考案に係るバインダー類のポケットの構造によれば、ポケットのシート材が切欠き部側にズレると、連続的に形成された切込み部が折り曲がって、シート材の隅部に至る２辺に沿ってマチ部の厚みが形成される。
このポケットの構造は、シート材の所定位置に切込み部と切欠き部とを形成すればよいので、従来例と比較して加工作業が極めて簡単である。
また、切込み部１４の長さを適宜に変えれば、マチ部の厚さを自由に変更することができる。
そして、従来例のような人手で折り畳む作業や、マチ部の分の材料が必要ないので、作業手間や材料費の点でコストダウンを図ることができる。
更に、マチ部の厚みが必要ないときには、切込み部が平らであるので、マチ部が薄手に維持されるという種々の優れた効果を奏する。
【００１２】
また、シート材は、合成樹脂材又は紙材であることによって、例えば、ポリプロピレンやポリ塩化ビニル等の合成樹脂材だけでなく、加工紙等の紙材でポケットを形成することができるという優れた効果を奏する。
【図面の簡単な説明】
【００１３】
【図１】本考案に係るバインダー類のポケットの構造を備えるファイル１１の正面図である。
【図２】ポケット１２の要部を拡大して示した正面図である。
【図３】ポケット１２の一部を示した斜視図である。
【図４】マチ部１６が形成された状態のポケット１２の一部を示した斜視図である。
【考案を実施するための形態】
【００１４】
次に、本考案の実施の形態について図面を参照しながら説明する。まず、図１において、符号１１はファイル（バインダー類）を示し、このファイル１１のボード面１１ａ（表表紙及び裏表紙）には、書類や紙葉を差し込んで収納するためのポケット１２が設けられている。
【００１５】
バインダー類は、図１においてはファィル１１を示したが、このファィル１１以外にもバインダー、クリップボード、あるいは回覧板等のようなボード面１１ａを備える文具品が含まれる。
【００１６】
ボード面１１ａは、ファィル１１やバインダーの表表紙及び裏表紙だけでなく、クリップボードや回覧板等の表裏面が含まれる。
【００１７】
ポケット１２は、当該ポケット１２用のシート材１２ａの隅部１３ａに至る２辺１３、１３に沿った部位が、ボード面１１ａの縁部に沿って溶着又は接着されている。
【００１８】
シート材１２ａは、ポリプロピレンやポリ塩化ビニル等の合成樹脂材、あるいは、強度が向上する加工を施した加工紙等の紙材が用いられる。
【００１９】
また、ポケット１２は、シート材１２ａの隅部１３ａに至る２辺１３、１３に沿って、所定傾斜角度の切込み部１４が所定の間隔を開けて連続的に形成されている。
【００２０】
切込み部１４の傾斜角度θは、約４５度が望ましい。切込み部１４同士の間隔Ｌ１は、５〜１０mm程度が望ましい。また、切込み部１４の長さＬ２は、５〜１５mm程度が望ましい（図２参照）。
【００２１】
シート材１２ａの隅部１３ａに至る部位の近傍は、切欠き部１５が形成されている。この切欠き部１５の存在によって、シート材１２ａが切欠き部１５側（矢印Ａ方向）にズレることができる。
【００２２】
このようにシート材１２ａが切欠き部１５側にズレると、連続的に形成された切込み部１４が折り曲がって、２辺１３、１３に沿ってマチ部１６の厚みが形成されるのである（図４照）。
【００２３】
以上のように構成されるバインダー類のポケットの構造は、シート材１２ａの所定位置に切込み部１４と切欠き部１５とを形成すればよいので、従来例と比較して加工作業が極めて簡単である。
また、切込み部１４の長さを適宜に変えれば、マチ部１６の厚さを自由に変更することができる。
そして、従来例のような人手で折り畳む作業や、マチ部１６の分の材料が必要ないので、作業手間や材料費の点でコストダウンを図ることができる。
更に、マチ部１６の厚みが必要ないときには、切込み部１４が平らであるので、マチ部１６が薄手に維持される。
【符号の説明】
【００２４】
１１  ファイル（バインダー類）
１１ａ  ボード面（表表紙及び裏表紙）
１２  ポケット
１２ａ  シート材
１３  辺
１３ａ  隅部
１４  切込み部
１５  切欠き部
１６  マチ部
【図１】
0003179219.tif 000003
【図２】
0003179219.tif 000004
【図３】
0003179219.tif 000005
【図４】
0003179219.tif 000006